(57)【特許請求の範囲】
【請求項１】
ＩＣカードが添付された複数の物品を一定量まとめた状態で管理する物品管理システムであって、
前記複数の物品に添付された個々のＩＣカードに対して一定の間隔で時刻データを書き込む時刻データ書込み手段と、
時刻データが書き込まれ、一定量まとまった複数のＩＣカード付物品に対して個々のＩＣカードの時刻データを一括して読み出す時刻データ読出し手段と、
読み出した時刻データを時間に沿って並べ換え、各時刻データの間隔を検出する時刻データ間隔検出手段と、
前記時刻データ間隔検出手段で検出したそれぞれの時刻データの間隔と、前記時刻データの書き込み時の間隔とが異なっているか否かを検出する異常検出手段と、
を備えていることを特徴とする物品管理システム。
【請求項２】
前記ＩＣカードは、ＩＣカードリーダライタとの間で非接触に書き込みや読み込みが可能な非接触型ＩＣカードであって、
前記時刻データ書込み手段は、ＩＣカードの添付された複数の物品を１個ずつ一定の間隔で搬送させながらＩＣカードリーダライタで時刻データを書込むようにしたことを特徴とする請求項１に記載の物品管理システム。
【請求項３】
前記時刻データは、ＩＣカードに対して通常書き込まれる物品の品名や宛先情報などの必要情報と一緒に書き込むようにしたことを特徴とする請求項１または２に記載の物品管理システム。
【発明の詳細な説明】
【０００１】
【発明の属する技術分野】
本発明は、物品管理システムに係り、更に詳しくは、ＩＣカードが添付された複数の物品を一定量まとめた状態で管理を行う物品管理システムに関する。
【０００２】
【従来の技術】
従来より、一定のデータが書き込まれたカードを持ち歩き、これをカードリーダライタにかけてカードのデータ内容を読取ることで、種々の情報カードや身分証明書として用いたり、カードに新たなデータが書込が可能なデータ更新型のカードとすることで多方面に利用されている。
この種のカードとしては、プリペイドカードやクレジットなどで用いられている磁気カードの他、最近では、読み書き可能な情報量が多く、セキュリティ性能の優れたＩＣカードが実用化されてきている。
そして、ＩＣカードのデータの読出しや書込みを行うＩＣカードリーダライタには、ＩＣチップに露出した電極パッドを設け、これにプローブなどの端子を接触させて行う接触型と、無線を使って読み書きデータを送受信する非接触型とがある。
近年では、上記したＩＣカードを管理したい個々の物品に対して添付し、そのＩＣカードに品名や宛先情報などの必要情報を書き込んでおき、必要に応じてその情報を読み出すことにより、物品の管理を行う物品管理システムが開発されつつある。
【０００３】
【発明が解決しようとする課題】
しかしながら、このような従来の物品管理システムにあっては、ＩＣカードが添付された複数の物品を梱包して一括管理するような場合、梱包した物品の員数が予め分かっていなければ、欠品の検出や読取り不良のＩＣカードの有無などを検出することができないという問題があった。
本発明は、上記事情に鑑みてなされたものであり、予め員数の分かっていない複数の物品の欠品や読取り不良のＩＣカードの有無等を検出することができる、信頼性の高い物品管理システムを提供することを目的としている。
【０００４】
【課題を解決するための手段】
上記目的を達成するため、請求項１記載の発明は、ＩＣカードが添付された複数の物品を一定量まとめた状態で管理する物品管理システムであって、前記複数の物品に添付された個々のＩＣカードに対して一定の間隔で時刻データを書き込む時刻データ書込み手段と、時刻データが書き込まれ、一定量まとまった複数のＩＣカード付物品に対して個々のＩＣカードの時刻データを一括して読み出す時刻データ読出し手段と、読み出した時刻データを時間に沿って並べ換え、各時刻データの間隔を検出する時刻データ間隔検出手段と、前記時刻データ間隔検出手段で検出したそれぞれの時刻データの間隔と、前記時刻データの書き込み時の間隔とが異なっているか否かを検出する異常検出手段と、を備えていることを特徴とする。
これによれば、時刻データ書込み手段により複数の物品に添付されたＩＣカードに対して一定の間隔で時刻データを書き込み、時刻データ読出し手段により一定量まとまったＩＣカード付物品の個々のＩＣカードの時刻データを一括して読み出し、時刻データ間隔検出手段により読み出した時刻データを並べ換えて、各時刻データの間隔を検出し、異常検出手段により時刻データ間隔検出手段で検出した時刻データの間隔と、時刻データ書き込み時の間隔とを比較して、異なっているか否かを検出するようにしたため、物品の員数が予め分かっていなくても、欠品やＩＣカードの読取り不良の有無などを管理することができる。
請求項２記載の発明は、請求項１に記載の物品管理システムにおいて、前記ＩＣカードは、ＩＣカードリーダライタとの間で非接触に書き込みや読み込みが可能な非接触型ＩＣカードであって、前記時刻データ書込み手段は、ＩＣカードの添付された複数の物品を１個ずつ一定の間隔で搬送させながらＩＣカードリーダライタで時刻データを書込むようにしたことを特徴とする。
これによれば、ＩＣカードを非接触型ＩＣカードとし、ＩＣカードの添付された複数の物品を１個ずつ一定の間隔で搬送させながらＩＣカードリーダライタで時刻データを書き込む時刻データ書込み手段としたため、製造工程に影響を与えることの無い設置が可能であり、流れ作業で行えるので効率良く物品を管理することができる。
請求項３記載の発明は、請求項１または２に記載の物品管理システムにおいて、前記時刻データは、ＩＣカードに対して通常書き込まれる物品の品名や宛先情報などの必要情報と一緒に書き込むようにしたことを特徴とする。
これによれば、ＩＣカードが添付された物品には品名や宛先情報などの必要情報を書込む工程があり、その必要情報と一緒に時刻データを書込むようにしたため、新たに時刻データを書込む工程や設備を設ける必要がなくなり、処理時間が短縮され、低コスト化することができる。
【０００５】
【発明の実施の形態】
以下、本発明の一実施の形態を図面に基づいて詳細に説明する。
本実施の形態では、一例として大量生産した工業製品を自動的に梱包して出荷する場合などにおいて、物品を管理する物品管理システムとして実施したものである。
図１および図２は、本実施の形態に係る物品管理システム１０の概略構成を説明する図である。図１に示す物品管理システム１０は、大量生産された工業製品１２ａ，１２ｂ，１２ｃ，１２ｄ，・・・・が順次ベルトコンベア１８に載せられ、矢印Ａ方向に一定速度で搬送されている。そして、この工業製品１２ａ，１２ｂ，１２ｃ，１２ｄ，・・・には、それぞれ非接触型ＩＣカード１４が添付されており、種々の情報をベルトコンベア１８の途中に配置したＩＣカードリーダライタ１６によって非接触で読み出しや書き込みが行えるようになっている。
本実施の形態では、各工業製品１２のＩＣカード１４に、品名や宛先情報などの必要情報の他、ＩＣカードリーダライタ１６で情報を書き込んだ時点の時刻データも同時に書き込むようになっている。
このようにして、ＩＣカードリーダライタ１６によりそれぞれのＩＣカード１４に情報が書き込まれた工業製品１２ａ，１２ｂ，１２ｃ，１２ｄ，・・・が順次製品梱包箱２０に入れられ、梱包される。
図２に示す物品管理システム１０では、図１と同じベルトコンベア１８やＩＣカードリーダライタ１６を用いているため、同一符号を付して構成説明を省略するが、相当物を用いて別工程で処理するようにしても勿論良い。
図２の場合は、図１で複数の工業製品１２が梱包された製品梱包箱２０を順次ベルトコンベア１８で矢印Ａ方向に搬送し、ＩＣカードリーダライタ１６にて複数の工業製品１２に添付された全てのＩＣカードの情報を一括して読み出したり書き込むことが行われる。
【０００６】
図３は、図１および図２に示したＩＣカード１４とＩＣカードリーダライタ１６の概略構成を説明する図である。
図３のＩＣカード１４は、非接触型ＩＣカードであって、ＩＣチップ５０にコイル状のアンテナ５２が接続され、さらに、ＩＣチップ５０内には本実施の形態の特徴である時刻データを書き込んでおくためのメモリ５４を備えている。
また、図３のＩＣカードリーダライタ１６は、全体の制御を行うＣＰＵ３０、現在の時刻データを生成するタイマ３２、書き込みデータや読出しデータなど種々のデータやパラメータ等を格納するメモリ３４、ＩＣカード１４への書き込みデータを変調するための変調器３６、変調波を増幅する電力アンプ３８、ＩＣカード１４へ書き込みデータを送信する送信アンテナ４２、ＩＣカード１４からの読出しデータを受信する受信アンテナ４４、受信波を検波する検波回路４０、およびＣＰＵ３０に対する指令や、ＣＰＵ３０での処理結果を画面上に表示する表示部４６などを備えている。
図３に示すように、複数の工業製品に添付された個々のＩＣカード１４に対して一定の間隔で時刻データを書き込む時刻データ書込み手段としてのＩＣカードリーダライタ１６は、ＩＣカード１４に対して交流磁界を形成することにより、アンテナ５２に電力を発生させ、ＩＣチップ５０を駆動することができる。これに伴い、ＣＰＵ３０は、タイマ３２からの現在の時刻データを取り込んで変調器３６で変調し、電力アンプ３８で増幅した後、送信アンテナ４２から時刻データを送信する。ＩＣカード１４のＩＣチップ５０は、アンテナ５２で時刻データを受信するとメモリ５４に書き込み、これを保持する。図１には、工業製品１２ａ，１２ｂ，１２ｃ，１２ｄ，・・に対して、ｔ１〜ｔ６までの時刻データが順次書き込まれた状態を示している。
また、図３に示すように、ＩＣチップ５０のメモリ５４に書き込まれた時刻データを読み出す時刻データ読出し手段としてのＩＣカードリーダライタ１６は、ＩＣカード１４に対して磁界を形成し、アンテナ５２に発生させた電力によってＩＣチップ５０を駆動することにより、メモリ５４内の時刻データを送信させ、受信アンテナ４４で受信して、検波回路４０を介してメモリ３４に順次格納するようにする。
そして、時刻データ間隔検出手段としてのＣＰＵ３０は、複数のＩＣカード１４から受信した時刻データを時間の流れに沿って並べ換え、各時刻データ間の間隔を検出する。
さらに、異常検出手段としてのＣＰＵ３０は、検出した時刻データの間隔と、時刻データを書き込んだ時の間隔とを比較し、間隔が一致しているか否かを検出するようにする。
図４は、検出した時刻データとその時刻データの間隔との関係を示す線図である。ここでは、ｔ２の時刻データが書き込まれた工業製品が欠品になった場合を示したものである。
【０００７】
次に、動作について説明する。
図５は、本実施の形態に係る動作を説明するフローチャートである。図５に示すように、複数の物品（工業製品）に添付されたＩＣカードに対して一定の時間間隔で時刻データを書き込むようにする（ステップＳ１００）。これは、図１に示すように、ベルトコンベア１８上に一定の間隔で載置した工業製品１２ａ，１２ｂ，１２ｃ，１２ｄ，・・を一定速度で矢印Ａ方向に搬送しながら、ＩＣカードリーダライタ１６により時刻データが各ＩＣカード１４のメモリ５４にｔ１〜ｔ６のようにして順次書き込まれる。
このように、時刻データ等が書き込まれたＩＣカード付きの工業製品は、製品梱包箱２０に一定量納められると梱包される（ステップＳ１０２）。なお、ここでは、図１に示すように、工業製品１２ｂが途中で欠品になった状態で製品梱包箱２０に納められたものとする。
【０００８】
次に、図２に示すように、梱包された各製品梱包箱２０ａ，２０ｂ，２０ｃをベルトコンベア１８に載せて矢印Ａ方向に搬送し、ＩＣカードリーダライタ１６にて製品梱包箱２０ｂ内の各工業製品１２に添付されたＩＣカードの時刻データ等を一括して読み出すようにする（ステップＳ１０４）。
図３に示すＩＣカードリーダライタ１６のＣＰＵ３０は、一括して読み出した時刻データを並べ換え、各時刻データ間の間隔を検出する（ステップＳ１０６）。
そして、ＣＰＵ３０は、検出した時刻データの間隔と時刻データ書き込み時における間隔とが一致するか否かを判断する（ステップＳ１０８）。本実施の形態では、図４に示すように、工業製品１２ｂが欠品のため時刻データｔ２を読み出すことができず、ｔ１の次がｔ３となり、通常の時刻データの間隔を１ｗとすると、ここだけその２倍の２ｗとなる。従って、ＣＰＵ３０は、検出した時刻データの間隔と、時刻データ書き込み時の間隔とが不一致であると判断し、ステップＳ１１４に移行し、当該製品梱包箱２０ｂの物品に欠品が有る（若しくは、ＩＣカードの読取り不良）と判断し、表示部４６に「欠品、またはＩＣカードの読取り不良有り」という異常表示を行い、オペレータに知らせる。
また、ステップＳ１０８において、検出した時刻データの間隔と、時刻データ書き込み時の間隔とが一致していれば、梱包物の工業製品は正常と判断され（ステップＳ１１０）、表示部４６に「梱包物は正常」という表示を行い、オペレータに知らせる（ステップＳ１１２）。
以上説明したように、本実施の形態によれば、物品の員数が予め分かっていなくても、欠品やＩＣカードの読取り不良の有無などを確実に管理することができるため、信頼性の高い物品管理システムとすることができる。
また、本実施の形態によれば、製品の製造工程等に影響を与えることなく設置することが可能であり、流れ作業で行えることから効率の良い物品管理を行うことができる。
さらに、本実施の形態によれば、新たに時刻データを書込む工程や設備を設ける必要がないことから、処理時間が短縮され、低コスト化することができる。
【０００９】
【発明の効果】
以上説明したように、請求項１記載の発明によれば、時刻データ書込み手段により複数の物品に添付されたＩＣカードに対して一定の間隔で時刻データを書き込み、時刻データ読出し手段により一定量まとまったＩＣカード付物品の個々のＩＣカードの時刻データを一括して読み出し、時刻データ間隔検出手段により読み出した時刻データを並べ換えて、各時刻データの間隔を検出し、異常検出手段により時刻データ間隔検出手段で検出した時刻データの間隔と、時刻データ書き込み時の間隔とを比較して、異なっているか否かを検出するようにしたので、物品の員数が予め分かっていなくても、欠品やＩＣカードの読取り不良の有無などを管理することができる。
請求項２記載の発明によれば、ＩＣカードを非接触型ＩＣカードとし、ＩＣカードの添付された複数の物品を１個ずつ一定の間隔で搬送させながらＩＣカードリーダライタで時刻データを書き込む時刻データ書込み手段としたので、製造工程に影響を与えること無く設置が可能であり、流れ作業で行えることから効率良く物品を管理することができる。
請求項３記載の発明によれば、ＩＣカードが添付された物品には品名や宛先情報などの必要情報を書込む工程があり、その必要情報と一緒に時刻データを書込むようにしたので、新たに時刻データを書込む工程や設備を設ける必要がなくなり、処理時間が短縮され、低コスト化することができる。
【図面の簡単な説明】
【図１】本実施の形態に係る物品管理システムの概略構成を説明する図である。
【図２】本実施の形態に係る物品管理システムの概略構成を説明する図である。
【図３】図１および図２に示したＩＣカードとＩＣカードリーダライタの概略構成を説明する図である。
【図４】検出した時刻データとその時刻データの間隔との関係を示した線図である。
【図５】本実施の形態に係る動作を説明するフローチャートである。
【符号の説明】
１０    物品管理システム、
１２ａ，１２ｂ，１２ｃ，１２ｄ    工業製品、
１４    ＩＣカード（非接触型ＩＣカード）、
１６    ＩＣカードリーダライタ、
１８    ベルトコンベア、
２０    製品梱包箱、
３０    ＣＰＵ、
３２    タイマ、
３４    メモリ、
３６    変調器、
３８    電力アンプ、
４０    検波回路、
４２    送信アンテナ、
４４    受信アンテナ、
４６    表示部、
５０    ＩＣチップ、
５２    アンテナ、
５４    メモリ。
【図１】
0004365000.tif 000002
【図２】
0004365000.tif 000003
【図３】
0004365000.tif 000004
【図４】
0004365000.tif 000005
【図５】
0004365000.tif 000006